(57)【要約】【課題】縦位置撮影した画像全体を、容易に所望の方向で表示するデジタルカメラを提供する。【解決手段】デジタルカメラ１を、被写体の画像を取得する撮像素子部１０と、撮像素子部が取得した画像を表示する画像表示部４０と、画像表示部４０に表示される画像の回転操作を入力する画像回転操作部６０と、前記回転操作部６０からの入力に基づいて、画像表示部４０に表示される画像を回転させるとともに、そのアスペクト比を一定に保ちながら、画像表示部４０に画像の全体が表示される倍率に縮小又は拡大する画像処理部５０とを備える構成とする。【選択図】図３
2006121567.tif 000002
【特許請求の範囲】
【請求項１】
被写体の画像を取得する撮像素子部と、
前記撮像素子部が取得した画像を表示する画像表示部と、
前記画像表示部に表示される画像の回転操作を入力する画像回転操作部と、
前記回転操作部からの入力に基づいて、前記画像表示部に表示される画像を回転させるとともに、そのアスペクト比を一定に保ちながら、前記画像表示部に前記画像の全体が表示される倍率に縮小又は拡大する画像処理部と
を備えるデジタルカメラ。
【請求項２】
請求項１に記載のデジタルカメラにおいて、
前記画像表示部に表示される画像の拡大又は縮小を操作する画像倍率変更操作部を備え、
前記画像処理部は、前記画像倍率変更操作部からの入力に基づいて、前記画像表示部に表示される画像を拡大又は縮小する処理を行うこと
を特徴とするデジタルカメラ。
【請求項３】
請求項１又は請求項２に記載のデジタルカメラにおいて、
前記画像表示部は、表示される画像の外縁の少なくとも一部を示す画像端部表示を表示すること
を特徴とするデジタルカメラ。
【請求項４】
請求項１から請求項３までのいずれか１項に記載のデジタルカメラにおいて、
前記撮像素子部が取得した画像を画像ファイルとして記録し、かつ、前記画像回転操作部からの入力に基づいて、回転操作の対象となった画像の表示方向に関する方向データを前記画像ファイルと併せて記録する記録部とを備えること
を特徴とするデジタルカメラ。
【請求項５】
請求項４に記載のデジタルカメラにおいて、
前記記録部は、あらかじめ記録された前記画像ファイルに対して、この画像ファイルに関連付けられた前記方向データを追記すること
を特徴とするデジタルカメラ。
【発明の詳細な説明】
【技術分野】
【０００１】
本発明は、撮像済みの画像を回転して表示する機能を備えたデジタルカメラに関するものである。
【背景技術】
【０００２】
デジタルカメラによって撮影される画像は、一般に矩形の画像フォーマットを有し、その多くは、通常の撮影位置において横長となるように設定されている。
一般に、画像の縦横比は、例えば、２：３から３：４程度となっている。
【０００３】
横長の画像フォーマットを有するデジタルカメラは、例えば、人物の立ち姿等のように、縦長の被写体を撮影する場合に、そのカメラボディを、光軸回りに約９０度回転させ、鑑賞時にその画像が縦長となるようにして撮影することが一般的である。
また、カメラボディを回転させることなく、横長の画像の撮影と、縦長の画像の撮影とを行うため、被写体像を取得するＣＣＤ等の撮像素子を、その入射光の光軸回りに回転可能としたデジタルカメラが知られている（例えば、特許文献１）。
【０００４】
また、デジタルカメラは、静止画を撮影する場合、撮影した画像をカメラボディの背面等に設けられた表示装置に表示してモニタすることが一般的である。
しかし、このような表示装置は、撮影される画像のフォーマットが横長である場合には、その画面も、カメラの通常使用時において横長であることが多く、カメラをレンズ群の光軸周りに約９０°回転し、縦位置にして撮影（以下、「縦位置撮影」と称する）した画像も、一般的には、被写体の上下方向が画面の水平方向となるように、横倒しされた状態で表示される。このとき、カメラを縦位置に回転させた状態で表示装置を観察すれば、正しい方向でモニタすることができるが、この場合、画像をモニタしながら、カメラの各操作部を操作する際の操作性が損なわれてしまう。
【０００５】
これに対し、撮影済みの画像データを、例えばパーソナルコンピュータ等に移送し、このパーソナルコンピュータ上において、画像処理ソフトウェアを用い、縦横を変換させて表示させることが知られている。しかし、撮影の現場において、縦位置撮影した画像をモニタするために、パーソナルコンピュータ等を携行することは煩雑である。
【０００６】
また、縦位置撮影した画像を、カメラに備えられた表示装置によってモニタする際に、画像の画素配列の縦横方向を相互に入れ換えることによって、等倍のまま画像を９０°回転して表示し、カメラを通常位置に保ちながら、画像を縦位置のまま表示することも提案されている。しかし、この場合、画面が横長であることに起因して、画像の上下端部は表示されなくなる。
【０００７】
さらに、従来、カメラボディの傾斜を検出することによって、撮影時に縦位置撮影であるか否かを自動的に判別し、縦位置撮影された画像の表示時には、画像を９０°回転させるとともに、画像の上下端部が表示されるように画像を縮小するものが知られている。
しかし、縦位置撮影か否かは、撮影者の作画意図によっても左右され、単にカメラボディの傾きを検出したのみでは、適切な判断が行えない場合があった。
また、縮小時に画像の縦横比（アスペクト比）を変化させることによって、表示画像のケラレを低減することも考えられるが、この場合、モニタする画像に歪みが生じ、適切なモニタが行えない場合がある。
【特許文献１】特開２００２−６４７３８号公報
【発明の開示】
【発明が解決しようとする課題】
【０００８】
本発明の課題は、縦位置撮影した画像全体を、容易に所望の方向で表示するデジタルカメラを提供することである。
【課題を解決するための手段】
【０００９】
本発明は、以下のような解決手段により、前記課題を解決する。なお、理解を容易にするために、本発明の実施例に対応する符号を付して説明するが、本発明はこれに限定されるものではない。
【００１０】
請求項１の発明は、被写体の画像を取得する撮像素子部（１０）と、前記撮像素子部（１０）が取得した画像を表示する画像表示部（４０）と、前記画像表示部（４０）に表示される画像の回転操作を入力する画像回転操作部（６０）と、前記回転操作部からの入力に基づいて、前記画像表示部（４０）に表示される画像を回転させるとともに、そのアスペクト比を一定に保ちながら、前記画像表示部（４０）に前記画像の全体が表示される倍率に縮小又は拡大する画像処理部（５０）とを備えるデジタルカメラ（１）である。
【００１１】
請求項２の発明は、請求項１に記載のデジタルカメラ（１）において、前記画像表示部（４０）に表示される画像の拡大又は縮小を操作する画像倍率変更操作部（７０）を備え、前記画像処理部（５０）は、前記画像倍率変更操作部（７０）からの入力に基づいて、前記画像表示部（４０）に表示される画像を拡大又は縮小する処理を行うことを特徴とするデジタルカメラ（１）である。
請求項３の発明は、請求項１又は請求項２に記載のデジタルカメラ（１）において、前記画像表示部（４０）は、表示される画像の外縁の少なくとも一部を示す画像端部表示（２２０）を表示することを特徴とするデジタルカメラ（１）である。
請求項４の発明は、請求項１から請求項３までのいずれか１項に記載のデジタルカメラ（１）において、前記撮像素子部（１０）が取得した画像を画像ファイルとして記録し、かつ、前記画像回転操作部（６０）からの入力に基づいて、回転操作の対象となった画像の表示方向に関する方向データを前記画像ファイルと併せて記録する記録部（３０）を備えることを特徴とするデジタルカメラ（１）である。
請求項５の発明は、請求項４に記載のデジタルカメラ（１）において、前記記録部（３０）は、あらかじめ記録された前記画像ファイルに対して、この画像ファイルに関連付けられた前記方向データを追記することを特徴とするデジタルカメラ（１）である。
【発明の効果】
【００１２】
本発明によれば、以下の効果を奏することができる。
（１）回転操作部の操作によって、画像表示部に表示される画像を任意に回転させることができ、このとき、自動的にアスペクト比を一定に保ちながら、画像全体が表示されるように画像を拡大または縮小するから、縦位置撮影した画像全体を、容易に所望の方向で表示することができる。
（２）画像倍率変更操作部を操作することによって、画像表示部に表示される画像を任意に拡大又は縮小することができるから、画像全体を表示した後、容易に細部の確認をすることができる。
（３）画像表示部は、画像端部表示を表示することによって、縦位置表示等をする場合に、画像と画像以外の領域を容易に判別することができる。
（４）記録部は、画像の表示方向に関するデータを、画像ファイルと併せて記録するから、画像ファイルをパーソナルコンピュータ等に転送した後に、再度表示方向を設定する必要がない。
【発明を実施するための最良の形態】
【００１３】
本発明は、デジタルカメラに、ＬＣＤに表示される撮影済み画像の回転操作を入力する縦横変換スイッチと、この縦横変換スイッチからの入力に基づいて、ＬＣＤに表示される画像を回転させるとともに、そのアスペクト比を一定に保ちながら、ＬＣＤに全体が表示される倍率に画像を縮小又は拡大する画像加工部を備えることによって、上述した課題を解決する。
【実施例１】
【００１４】
以下、図面等を参照して、本発明の実施例をあげて、さらに詳しく説明する。
図１は、本発明を適用したデジタルカメラの構成を示すブロック図である。図２は、このデジタルカメラの外観斜視図である。
デジタルカメラ１は、ボディ２と、レンズ鏡筒３とを備え、ボディ２は、撮像素子部１０と、画像形成部２０と、記録部３０と、液晶表示装置（ＬＣＤ）４０と、画像加工部５０と、縦横変換スイッチ６０と、ズームスイッチ７０と、レリーズスイッチ８０と、電源スイッチ９０と、ＣＰＵ１００とをその内部に備えている（ズームスイッチ８０及び電源スイッチ９０は図１では図示しない。図２参照。）。
【００１５】
ボディ２は、略矩形の箱状に形成された筐体を備え、上述した各要素を収容するとともに、レンズ鏡筒３を、その１つの面部から突き出した状態で保持するものである。
レンズ鏡筒３は、略円筒状に形成され、その内部に撮影用レンズ群Ｌを収容するものである。
【００１６】
撮像素子部１０は、撮影用レンズ群Ｌがその撮像面に結像する被写体像を取得するものであって、例えばＣＣＤ、ＣＭＯＳ等の光−電気変換素子を備えている。撮像素子１０は、デジタルカメラ１の通常撮影時において、その長辺方向を水平方向に沿って配置された矩形の撮像面を備えている。この撮像面には、撮像される画像の各画素の形成に用いられる複数の撮像素子が、縦横方向にそれぞれ規則的に配列されている。
【００１７】
画像形成部２０は、撮像素子部１０の出力に基づいて、画像を形成し、得られた画像データを、ＣＰＵ１００に出力するものである。ここで、画像データは、例えば、画像上の直交二軸方向に沿って、規則的に配列された複数の画素位置に対応する明度情報、色情報等を含む画素データを有するものである。
記録部３０は、上述した画像データを含む画像ファイルを記録するものであって、例えば、記録部３０に内蔵された図示しないランダム・アクセス・メモリ（ＲＡＭ）等の記憶装置や、例えばコンパクトフラッシュ（登録商標）、ＳＤメモリ（登録商標）等のＲＡＭを備えた着脱可能な記憶媒体及びそのドライブ装置を備えている。
【００１８】
ＬＣＤ４０は、ボディ２の撮影者側の面部（「背面」とも称される）に備えられ、デジタルカメラ１の通常撮影時において、横長の矩形の画面を有する。
ＬＣＤ４０は、デジタルカメラ１の撮影時に、画像形成部２０が出力する画像のモニタをして構図設定等に用いられ、また、撮影済み画像をモニタ用に表示するものである。また、例えば撮影機能の設定等においても、ＬＣＤ４０は、各種情報の表示に用いられる。
【００１９】
画像加工部５０は、画像形成部２０が出力し、ＣＰＵ１００に一時的に蓄積された画像データ、又は、記録部３０に記録され、ユーザの操作によって読み出された画像データに基づいて、その画像の表示方向を例えば９０°回転させるとともに、全体をＬＣＤ４０に表示される倍率に拡大又は縮小する画像処理機能を備えている。この画像加工部５０の機能については、後に詳しく説明する。
【００２０】
縦横変換スイッチ６０は、ボディ２の撮影者側の面に備えられ、図２に示すように、撮影者側から見て、ＬＣＤ４０の左側上部に配置された押しボタンスイッチを有する。縦横変換スイッチ６０は、上述した画像の回転機能を、撮影者が操作する入力部であって、ＣＰＵ１００を介して画像加工部５０に接続されている。
【００２１】
ズームスイッチ７０は、ボディ２の撮影者側の面部に備えられ、図２に示すように、撮影者側から見て、この面部の右側上部に配置されている。ズームスイッチ７０は、例えば１対の押しボタンスイッチを有し、デジタルカメラ１の撮影時には、撮影用レンズ鏡筒の焦点距離を変更するズーミング操作を入力し、ＬＣＤ４０における撮影済み画像の表示時には、表示される画像の拡大及び縮小操作を入力するものである。この拡大、縮小操作については、後に詳しく説明する。
【００２２】
レリーズスイッチ８０は、ボディ２の通常撮影時における上面部の右側の端部に備えられ、撮影時にレリーズ操作を行うものである。
電源スイッチ９０は、上述したレリーズスイッチ８０に隣接して配置され、デジタルカメラ１の電源のオンオフを操作するものである。
ＣＰＵ１００は、上述した各部分とそれぞれ接続され、デジタルカメラ１の機能を総括するものである。
【００２３】
次に、実施例のデジタルカメラ１において、撮影済み画像をＬＣＤ４０に表示する際の動作について説明する。図３は、この動作を示すフローチャートである。図４は、このときのＬＣＤの画像表示の例を示す図である。
以下、図３に示す各ステップ毎に説明する。
【００２４】
＜ステップＳ０１：開始＞
まず、撮影者は、電源スイッチ９０を操作して、デジタルカメラ１の電源をオンにする。そして、構図を決定し、公知のＡＦ操作を行った後に、レリーズスイッチ８０を操作することによって、露光シーケンスが開始され、画像形成部２０は、撮像素子部１０の出力に基づいて画像を形成し、その画像データを、ＣＰＵ１００に出力する。
そして、以下説明する画像表示動作が開始される。
【００２５】
＜ステップＳ０２：画像再生＞
ＣＰＵ１００は、画像形成部２０から入力された画像データに基づいて、この画像データに係る画像を、ＬＣＤ４０の画面に表示可能なサイズに縮小し、縮小された画像のデータをＬＣＤ４０に出力してこの画像を表示させる。
このとき、ＬＣＤ４０に表示される画像には回転は行われず、その表示方向は、デジタルカメラ１の通常撮影時における被写体の水平方向が、ＬＣＤ４０の矩形の画面の、長辺に沿った方向に表示されるようになっている。
このような画像の再生動作は、ユーザの操作によって行ってもよいし、また、撮影終了後、自動的に再生されるようにしてもよい。さらに、撮影後、一旦記録部３０に蓄積された画像データを、読み出して再生するようにしてもよい。
図４（ａ）は、ステップＳ０２におけるＬＣＤ４０の画像表示例である。この段階においては、縦位置撮影された画像２００は、被写体の縦方向に相当する画像の長辺方向が、ＬＣＤ４０の画面の長辺方向に沿った状態で、横倒しした状態で表示されている。
【００２６】
＜ステップＳ０３：画像回転操作有無判断＞
ＣＰＵ１００は、縦横変換スイッチ６０が操作されたか否かを判断し、操作された場合は、ステップＳ０４に進む。一方、縦横変換スイッチ６０が操作されなかった場合は、ステップＳ０９に進む。
【００２７】
＜ステップＳ０４：画像回転・倍率変更＞
画像加工部５０は、画像データに含まれる各画素の情報の配列を、縦方向と横方向とを変換することによって、画像を例えば９０°回転させるとともに、画像の解像度（画素数）を変更し、回転後の画像全体が、ＬＣＤ４０に表示されるサイズに拡大又は縮小する。この画像の回転及び、拡大若しくは縮小に関する処理では、画像のアスペクト比（縦横比）が略一定に保たれるようにする。
ここで、縦位置撮影した画像は、その長辺方向が、ＬＣＤ４０の画面の長辺方向と直交する方向に回転される。このとき、画像のサイズを変更しなければ、図４（ｂ）に示すように、ＬＣＤ４０の画面サイズに起因してケラレが生じ、画像の長辺方向に沿った両端部（被写体の上下端部の像）が表示されなくなる。
そこで、画像加工部５０は、回転に伴い画像を縮小する。図４（ｃ）は、この縮小された画像を表示する際のＬＣＤ４０の画像表示例である。縮小された画像２００ａは、その長辺方向のサイズが、ＬＣＤ４０の画面の短辺方向のサイズと、ほぼ一致する倍率となっている。例えば、画像の縦横比が、２：３である場合には、このとき、画像は、例えば約２／３のサイズ（解像度）に縮小される。
また、ＬＣＤ４０の画面の長辺方向に沿った両端部は、画像が表示されない領域２１０が形成される。そして、画像２００ａの外縁部と、領域２１０の表示色が紛らわしい場合であっても、画像２００ａの外縁部が判別できるように、画像２００ａの各長辺部に沿って、画素輝度又は表示色を周囲と異ならせた、ライン状の画像端部表示２２０が表示される。
さらに、上述したようにして回転した画像を、再度回転した場合は、画像加工部５０は、再び最初の倍率に戻るように画像を拡大する。
【００２８】
＜ステップＳ０５：ズームスイッチ操作有無判断＞
ＣＰＵ１００は、ズームスイッチ７０が操作されたか否か判断し、操作された場合は、ステップＳ０６に進む。一方、ズームスイッチ７０が操作されなかった場合は、ステップＳ０７に進む。
【００２９】
＜ステップＳ０６：倍率変更＞
画像加工部５０は、ズームスイッチ７０からの入力に基づいて、ＬＣＤ４０に表示される画像の倍率を変更し、拡大又は縮小を行う。ＬＣＤ４０は、この拡大又は縮小が行われた画像を表示する。
【００３０】
＜ステップＳ０７：表示方向データ記憶操作有無判断＞
ＣＰＵ１００は、ＬＣＤ４０に、上述した画像の回転操作後の表示方向に関するデータである表示方向データの記録要否を確認するメッセージを表示する。
このメッセージに応じて、ユーザは、表示方向データの記録を希望する場合には、例えば、縦横切替スイッチ６０を所定の期間以上押し続ける等の所定の操作を行う。
そして、ＣＰＵ１００は、このような表示方向記憶操作があった場合は、ステップＳ０８に進み、なかった場合は、ステップＳ０９に進む。
【００３１】
＜ステップＳ０８：表示方向データ変更記憶＞
ＣＰＵ１００は、ＬＣＤ４０に表示されている画像が、画像形成部２０から入力された画像データに基づいて表示されている場合には、この画像データを含む画像ファイルと、回転後の画像の表示方向に関する表示方向データとを、記録部３０に記録する。
また、ＬＣＤ４０に表示されている画像が、記録部３０から読み出されたものである場合は、この画像データと関連付けて、表示方向データを追記する。
ここで、画像ファイルは、例えばＲＡＷファイル、ＴＩＦＦファイルのような非圧縮形式のものであってもよく、また、例えばＪＰＥＧファイルやＧＩＦファイルのようなデータ圧縮を伴う圧縮形式のものであってもよい。また、記録されるファイル形式は１つに限らず、複数のファイル形式によってそれぞれ記録するようにしてもよい。
また、表示方向データは、上述した画像ファイルの一部に含まれ、そのファイル情報を蓄積したメタデータ部に記録してもよく、また、画像ファイルと関連付けがなされた独立ファイルとして記録してもよい。
【００３２】
＜ステップＳ０９：終了＞
ＣＰＵ１００は、例えばユーザが所定の終了操作を行った場合や、一定時間以上何の操作もなかった場合に、ＬＣＤ４０への画像表示を終了し、一連の処理を終了する。
【００３３】
以上のように、実施例によれば、縦横変換スイッチ６０の操作によって、ＬＣＤ４０に表示される画像を任意に回転させるときができ、このとき自動的にアスペクト比を一定に保ちながら、画像全体が表示されるように、画像を拡大又は縮小するから、縦位置撮影した画像全体を、容易に所望の方向で表示し、観察することができる。
また、ズームスイッチ７０を操作することによって、ＬＣＤ４０に表示される画像を、任意に拡大又は縮小することができるから、画像全体を表示した後、容易に細部の確認をすることができる。
さらに、ＬＣＤ４０は、画像端部表示２２０を表示するから、画像とそれ以外の領域とを容易に判別し、画像の外縁部を把握することができる。
さらにまた、記録部３０は、表示方向データを画像ファイルと併せて記録するから、画像ファイルを、パーソナルコンピュータ等に転送した後に、再度表示方向を設定する必要がない。
【００３４】
（変形例）
本発明は、以上説明した実施例に限定されることなく、種々の変形や変更が可能であって、それらも本発明の均等の範囲内である。
（１）上述した実施例は、レンズ固定式のデジタルスチルカメラに関するものであるが、本発明は、レンズ交換式デジタルカメラや、動画のみ又は動画と静止画とを撮影するムービーカメラにも適用することができ、また、デジタルカメラは、例えば携帯電話機、ＰＤＡ等のカメラ以外の機器に内蔵されているものであってもよい。
（２）上述した実施例は、画像の回転操作は、ユーザによる入力に基づいて行っているが、カメラの傾斜を検出して画像を自動的に回転する公知の画像自動回転機能を備えたカメラにおいて、本発明のように回転操作部を設け、自動回転機能によってユーザが望まない回転が行われた画像を、さらに回転できるようにしてもよい。
（３）上述した実施例は、画像の回転時には、その全体が表示されるように縮小または拡大を行っているが、これに限らず、全体が表示される倍率よりも大きい倍率で表示されるようにしてもよい。この場合、回転を行うことによって、表示画面枠によるケラレが生じ、画像の一部が表示されない場合が生ずるが、回転に先立ち、現在の設定で回転操作を行うとケラレが生じる旨の表示をしたり、回転前の画像と重畳して、回転操作後にケラレが生ずる領域を予告表示するようにしてもよい。
（４）上述した実施例は、画像の回転操作が行われた場合に、画像データに対して表示方向データを添付するようにしているが、これにかぎらず、画像データそのものを、その画素配列を入れ替えて再形成するようにしてもよい。この場合、圧縮を伴うファイル形式の場合は画質が劣化するおそれがあるから、非圧縮のファイル形式を用いることが好ましい。
（５）本発明において、画像の回転及び拡大・縮小に関する画像処理は、いかなる公知の画像処理方法を用いて行ってもよい。
【図面の簡単な説明】
【００３５】
【図１】本発明を適用したデジタルカメラの実施例の構成を示すブロック図である。
【図２】図１のデジタルカメラの外観斜視図である。
【図３】図１のデジタルカメラにおける撮影済み画像を表示する際の動作を示すフローチャートである。
【図４】図１のデジタルカメラのおけるＬＣＤの画像表示の例を示す図である。
【符号の説明】
【００３６】
１    デジタルカメラ
２    ボディ
３    レンズ鏡筒
１０    撮像素子部
２０    画像形成部
３０    記録部
４０    液晶表示装置（ＬＣＤ）
５０    画像加工部
６０    縦横変換スイッチ
７０    ズームスイッチ
８０    レリーズスイッチ
９０    電源スイッチ
１００    ＣＰＵ
２００    画像
２００ａ  縮小された画像
２１０    画像が表示されない領域
２２０    画像端部表示
【図１】
2006121567.tif 000003
【図２】
2006121567.tif 000004
【図３】
2006121567.tif 000005
【図４】
2006121567.tif 000006